(57)【要約】【課題】選別部材に残留する穀物及び石屑の少なくとも一方を容易に機体外へ排出する。【解決手段】穀物選別機１０では、石屑が混在する穀物が一次選別多孔板２２上へ供給されると、穀物と石屑とが別方向へ移動されて選別される。ここで、穀物選別機１０の作動が停止される直前には、一次選別多孔板２２上に残留する穀物が穀物吸引管７０に吸引されて機体外へ排出されると共に、横送り多孔板３６上に残留する石屑が石屑吸引管７２に吸引されて機体外へ排出される。このため、一次選別多孔板２２上に残留する穀物及び横送り多孔板３６上に残留する石屑を短時間で容易に機体外へ排出できる。【選択図】図１
2009028608.tif 000002
【特許請求の範囲】
【請求項１】
機体内に設けられ、石屑が混在する穀物が供給されることで穀物と石屑とが別方向へ移動されて選別される選別部材と、
前記選別部材に供給された穀物及び石屑の少なくとも一方を吸引して機体外へ排出可能にされた排出手段と、
を備えた穀物選別機。
【請求項２】
前記機体に設けられ、前記選別部材によって選別された穀物を機体外へ排出する穀物排出部と、
前記機体に設けられ、前記選別部材によって選別された石屑を機体外へ排出する石屑排出部と、
を備え、
前記排出手段は、前記選別部材に供給された穀物及び石屑をそれぞれ前記穀物排出部及び石屑排出部から機体外へ排出可能にされた、
ことを特徴とする請求項１記載の穀物選別機。
【発明の詳細な説明】
【技術分野】
【０００１】
本発明は、穀物と石屑とを選別する穀物選別機に関する。
【背景技術】
【０００２】
穀物選別機としては、石屑が混在する穀物が多孔板上に供給されることで、穀物と石屑とが選別されて、穀物が穀物出口から排出されると共に、石屑が石出口から排出されるものがある（例えば、特許文献１参照）。
【０００３】
この穀物選別機では、多孔板が揺動されると共に、多孔板上に下側から空気が送風されており、石屑が混在する穀物が多孔板上に供給されると、多孔板上において下層に比較的重い石屑が配置されると共に上層に比較的軽い穀物が配置されて、穀物と石屑とが反対側へ移動されることで、穀物と石屑とが選別される。
【０００４】
しかしながら、多孔板上に存在する穀物及び石屑が少なくなると、多孔板上に下側から空気が送風されても、石屑の上層に穀物が配置されづらくなって、穀物が移動されづらくなる可能性がある。これにより、多孔板上に存在する穀物及び石屑が少なくなった後に継続して穀物選別機を作動させても、多孔板上に残留する穀物を完全に穀物出口から排出させるのは困難である可能性がある。
【特許文献１】特開２００１−２８６８２５公報
【発明の開示】
【発明が解決しようとする課題】
【０００５】
本発明は、上記事実を考慮し、選別部材に残留する穀物及び石屑の少なくとも一方を容易に機体外へ排出できる穀物選別機を得ることが目的である。
【課題を解決するための手段】
【０００６】
請求項１に記載の穀物選別機は、機体内に設けられ、石屑が混在する穀物が供給されることで穀物と石屑とが別方向へ移動されて選別される選別部材と、前記選別部材に供給された穀物及び石屑の少なくとも一方を吸引して機体外へ排出可能にされた排出手段と、を備えている。
【０００７】
請求項２に記載の穀物選別機は、請求項１に記載の穀物選別機において、前記機体に設けられ、前記選別部材によって選別された穀物を機体外へ排出する穀物排出部と、前記機体に設けられ、前記選別部材によって選別された石屑を機体外へ排出する石屑排出部と、を備え、前記排出手段は、前記選別部材に供給された穀物及び石屑をそれぞれ前記穀物排出部及び石屑排出部から機体外へ排出可能にされた、ことを特徴としている。
【発明の効果】
【０００８】
請求項１に記載の穀物選別機では、機体内に設けられた選別部材に、石屑が混在する穀物が供給されることで、穀物と石屑とが別方向へ移動されて選別される。
【０００９】
ここで、排出手段が、選別部材に供給された穀物及び石屑の少なくとも一方を吸引して機体外へ排出可能にされている。このため、選別部材に穀物及び石屑の少なくとも一方が残留する場合でも、排出手段によって穀物及び石屑の少なくとも一方を容易に機体外へ排出することができる。
【００１０】
請求項２に記載の穀物選別機では、機体に穀物排出部及び石屑排出部が設けられており、選別部材によって選別された穀物及び石屑がそれぞれ穀物排出部及び石屑排出部から機体外へ排出される。
【００１１】
ここで、排出手段が、選別部材に供給された穀物及び石屑を、それぞれ穀物排出部及び石屑排出部から機体外へ排出可能にされている。このため、選別部材に穀物及び石屑が残留する場合でも、穀物と石屑とを選別して機体外へ排出することができる。
【発明を実施するための最良の形態】
【００１２】
図１には、本発明の実施の形態に係る穀物選別機１０の主要部が概略的な平面図にて示されている。また、図２には、穀物選別機１０が図１の２−２線に沿った概略的な縦断面図にて示されており、図３には、穀物選別機１０が図１の３−３線に沿った概略的な縦断面図にて示されている。さらに、図４には、穀物選別機１０の主要部が図１の４−４線に沿った概略的な縦断面図にて示されている。
【００１３】
穀物選別機１０は、石屑Ｚが混在する米等の穀物Ｋ（共に図５に図示）から穀物Ｋと石屑Ｚとを分離選別するためのものであり、一次選別部１２と二次選別部１４とが設けられた選別部１０Ａが機体１６内に設けられている。
【００１４】
機体１６の上壁には、供給ホッパ１８が設けられており、供給ホッパ１８に石屑Ｚが混在する穀物Ｋを投入することで、石屑Ｚが混在する穀物Ｋを機体１６内の一次選別部１２（下記一次選別多孔板２２）に上方から供給可能にされている。
【００１５】
一次選別部１２には、主送風機ケース２０が設けられており、主送風機ケース２０は、上面が開口された箱状に形成されている。主送風機ケース２０には、上面開口の近傍において、選別部材を構成する矩形板状の一次選別多孔板２２が設けられており、一次選別多孔板２２は、前方側が後方側に対し高くなるように傾斜して配置されている。図５に詳細に示す如く、一次選別多孔板２２には、多数の透孔２４が形成されると共に、前向き目の（前方側が後方側に対し高くされた）傾斜突起２６が形成されている。
【００１６】
主送風機ケース２０内には、一次選別多孔板２２の下側において、送風手段としての主送風機２８が設けられている。主送風機２８は、回転軸３０に回転翼３２が取り付けられた構成にされており、主送風機２８は、主送風機ケース２０の左側壁に貫通形成された円状の主吸気口３４及び下記連通口５２から吸気して、一次選別多孔板２２、下記横送り多孔板３６及び戻し多孔板４０へ下側から空気を送風可能にされている。
【００１７】
主送風機ケース２０の前端部には、上面開口の近傍において、選別部材を構成する長尺矩形板状の横送り多孔板３６が設けられており、横送り多孔板３６は、一次選別多孔板２２の前端部に連続して配置されている。横送り多孔板３６は、一次選別多孔板２２からの石屑Ｚが混在する穀物Ｋを右方側へ搬送するためのものであり、横送り多孔板３６には、一次選別多孔板２２と同様に、多数の透孔２４及び右向き目の（右方側が左方側に対し高くされた）傾斜突起３８が形成されている。
【００１８】
主送風機ケース２０の右端部前方側には、上面開口の近傍において、選別部材を構成する長尺矩形板状の戻し多孔板４０が設けられており、戻し多孔板４０の前端部は、横送り多孔板３６の右端部に連続して配置されている。戻し多孔板４０は、横送り多孔板３６からの石屑Ｚが混在する穀物Ｋを所定距離だけ後方側へ搬送するためのものであり、戻し多孔板４０には、一次選別多孔板２２と同様に、多数の透孔２４及び後向き目の（後方側が前方側に対し高くされた）傾斜突起４２が形成されている。
【００１９】
二次選別部１４は、一次選別部１２の右側方に設けられている。二次選別部１４には、副送風機ケース４４が設けられており、副送風機ケース４４は、左右幅が狭くされかつ上面が開口された箱状に形成されている。副送風機ケース４４には、上面開口の近傍において、選別部材を構成する長尺矩形板状の二次選別多孔板４６が設けられており、二次選別多孔板４６は、戻し多孔板４０の後端部に連続して配置されている。二次選別多孔板４６は、一次選別多孔板２２と同様に、前方側が後方側に対し高くなるように傾斜して配置されると共に、多数の透孔２４及び前向き目の傾斜突起４８が形成されている。
【００２０】
副送風機ケース４４と主送風機ケース２０との仕切り板５０には、上記主送風機２８に対応する位置において、円状の連通口５２が貫通形成されており、連通口５２は、副送風機ケース４４内と主送風機ケース２０内とを連通している。
【００２１】
副送風機ケース４４内には、二次選別多孔板４６の下側において、送風手段としての副送風機５４が設けられている。副送風機５４は、仕切り板５０の連通口５２を介して、上記主送風機２８の回転軸３０に同一軸で連結されている。すなわち、主送風機２８の回転軸３０は連通口５２を貫通して副送風機ケース４４内に至っており、副送風機５４は主送風機２８と同一の回転軸３０に回転翼５６が取り付けられた構成にされている。これにより、副送風機５４は、副送風機ケース４４の右側壁に貫通形成された円状の副吸気口５８から吸気して、二次選別多孔板４６へ下側から空気を送風可能にされている。
【００２２】
副送風機５４には、円筒状の案内筒６０が設けられており、案内筒６０は、副送風機ケース４４の副吸気口５８と仕切り板５０の連通口５２との間に位置して、回転軸３０に同一軸上で一体に設けられている。副吸気口５８は、案内筒６０よりも大きくされており、案内筒６０は、副吸気口５８から連通口５２へ空気を案内可能にされている。
【００２３】
主送風機２８及び副送風機５４の回転軸３０は、駆動手段としての駆動モータ６２に連結されて、単一の駆動モータ６２によって駆動可能にされている。さらに、主送風機ケース２０及び副送風機ケース４４は、偏心輪６４を介して駆動モータ６２に連結されて、単一の駆動モータ６２によって揺動可能にされている。
【００２４】
機体１６の後部には、穀物排出部としての筒状の穀物排出樋６６が設けられており、穀物排出樋６６は、一次選別多孔板２２の後端及び二次選別多孔板４６の後端に連通されている。機体１６の前端かつ右端には、石屑排出部としての筒状の石屑排出樋６８が設けられており、石屑排出樋６８は、二次選別多孔板４６の前端に連通されている。
【００２５】
図６〜図８に示す如く、機体１６には、排出手段の吸引管としての円管状の穀物吸引管７０が設けられており、穀物吸引管７０の一端は、一次選別多孔板２２の前端部かつ右端部（左右方向中央部等でもよい）の直上（例えば一次選別多孔板２２の１ｃｍ上方）に配置される（図１及び図２参照）と共に、穀物吸引管７０の他端は、穀物排出樋６６内に連通されている。機体１６には、排出手段の吸引管としての円管状の石屑吸引管７２が設けられており、石屑吸引管７２の一端は、横送り多孔板３６の左右方向中央部の直上（例えば横送り多孔板３６の１ｃｍ上方）に配置される（図１及び図２参照）と共に、石屑吸引管７２の他端は、排出手段を構成する分離装置７４（サイクロン）を介して石屑排出樋６８内に連通されている。
【００２６】
穀物吸引管７０及び石屑吸引管７２には、図９に詳細に示す排出手段を構成する略Ｔ字形管状の吸引装置７６（エアガン）が介在されており、吸引装置７６の２つの端部は穀物吸引管７０又は石屑吸引管７２に連通されている。吸引装置７６の穀物吸引管７０又は石屑吸引管７２に連通されない端部は、排出手段の連通部としての供給管（図示省略）を介して、排出手段の動力部としてのコンプレッサ（図示省略）に連通されている。供給管には、排出手段の作動部としての電磁弁７８が介在されており、電磁弁７８が閉じられることで、吸引装置７６とコンプレッサとの供給管による連通が遮断されている。
【００２７】
次に、本実施の形態の作用を説明する。
【００２８】
以上の構成の穀物選別機１０では、選別作業を開始するために、駆動モータ６２が駆動されて、作動されると、主送風機ケース２０及び副送風機ケース４４が共に揺動する。また、主送風機２８が回転して一次選別多孔板２２上、横送り多孔板３６上及び戻し多孔板４０上へ多数の透孔２４を介して下側から空気を送風すると共に、副送風機５４が回転して二次選別多孔板４６上へ多数の透孔２４を介して下側から空気を送風する。次いで、石屑Ｚが混在する穀物Ｋを供給ホッパ１８から一次選別多孔板２２上へ供給すると、石屑Ｚが混在する穀物Ｋは、一次選別多孔板２２上で穀物Ｋと石屑Ｚとに一次選別される。
【００２９】
すなわち、図５に示す如く、一次選別多孔板２２上では、穀物Ｋは軽いから全体的に浮上し、石屑Ｚは重いから浮上せず、浮上した穀物Ｋはその下で揺動する一次選別多孔板２２の傾斜突起２６に接触しないので、浮上したまま前方にも後方にも移動されず分布し、石屑Ｚは一次選別多孔板２２の傾斜突起２６により前方に移動される。
【００３０】
さらに、上方から新たに穀物Ｋが供給されると、穀物Ｋが、供給された分だけ新陳代謝的に移動されつつ、新たな穀物Ｋが既に浮上している穀物Ｋの上を後方へ滑り落ちるような形で、穀物排出樋６６から機体１６外へ排出されると共に、石屑Ｚを含む穀物Ｋは横送り多孔板３６上に至る。
【００３１】
横送り多孔板３６上では、石屑Ｚを含む穀物Ｋが順次右方へ搬送されて戻し多孔板４０上に至り、さらに、戻し多孔板４０上では、石屑Ｚを含む穀物Ｋが順次後方へ搬送されて二次選別多孔板４６上へ供給される。
【００３２】
二次選別多孔板４６上へ供給された石屑Ｚを含む穀物Ｋは、一次選別多孔板２２と同様の作用により更に穀物Ｋと石屑Ｚとに二次選別され、穀物Ｋは後方に移動して穀物排出樋６６から機体１６外へ排出されると共に、石屑Ｚは前方に移動して石屑排出樋６８から機体１６外へ排出される。
【００３３】
ところで、石屑Ｚが混在する穀物Ｋの供給ホッパ１８への投入が終了して、一次選別多孔板２２上における石屑Ｚが混在する穀物Ｋの量が少なくなると、一次選別多孔板２２上に下側から空気が送風されても、石屑Ｚの上層に穀物Ｋが配置されづらくなる。このため、穀物Ｋは揺動する一次選別多孔板２２の傾斜突起２６により前方に移動されて主に一次選別多孔板２２の前端部上に残留（滞留）すると共に、石屑Ｚは一次選別多孔板２２の傾斜突起２６により前方に移動されて主に横送り多孔板３６上に残留（滞留）する。
【００３４】
ここで、その後に駆動モータ６２の駆動が停止されて穀物選別機１０の作動が停止される直前（特に次回の穀物選別機１０の作動時に異なる種類の穀物Ｋに対して選別処理をする場合）には、穀物吸引管７０に対応する電磁弁７８と石屑吸引管７２に対応する電磁弁７８とが時期をずらして別々に又は同時に開かれることで、吸引装置７６とコンプレッサとが供給管を介して連通されて、コンプレッサによって圧縮された空気が供給管を介して吸引装置７６へ供給される。これにより、吸引装置７６によって穀物吸引管７０の一端側（一次選別多孔板２２側）から他端側（穀物排出樋６６側）へ空気が吸引されることで、一次選別多孔板２２の前端部上に残留する穀物Ｋが穀物吸引管７０に吸引されて穀物排出樋６６内に搬送され、穀物排出樋６６から機体１６外へ排出される。さらに、吸引装置７６によって石屑吸引管７２の一端側（横送り多孔板３６側）から他端側（石屑排出樋６８側）へ空気が吸引されることで、横送り多孔板３６上に残留する石屑Ｚが石屑吸引管７２に吸引されて石屑排出樋６８内に搬送され、石屑排出樋６８から機体１６外へ排出される。また、石屑吸引管７２と石屑排出樋６８との間の分離装置７４が、石屑吸引管７２内に吸引された空気（風）と石屑Ｚとを分離することで、石屑排出樋６８内に石屑Ｚのみが搬送されて、石屑吸引管７２内に吸引された空気が石屑排出樋６８へ供給されて石屑排出樋６８から機体１６外へ排出されることが抑制される。
【００３５】
以上により、一次選別多孔板２２の前端部上に穀物Ｋが残留すると共に、横送り多孔板３６上に石屑Ｚが残留する場合でも、穀物Ｋ及び石屑Ｚを短時間で容易に機体１６外へ排出することができる。
【００３６】
さらに、上述の如く、一次選別多孔板２２の前端部上に残留する穀物Ｋは、穀物排出樋６６から機体１６外へ排出されると共に、横送り多孔板３６上に残留する石屑Ｚは、石屑排出樋６８から機体１６外へ排出される。このため、機体１６内に残留する穀物Ｋと石屑Ｚとを選別して機体１６外へ排出することができる。
【００３７】
また、機体１６内の塵も、吸引装置７６によって穀物吸引管７０及び石屑吸引管７２に吸引できて穀物排出樋６６及び石屑排出樋６８から機体１６外へ排出することができる。このため、機体１６内の集塵作業も行うことができる。
【００３８】
さらに、穀物選別機１０には、穀物吸引管７０、石屑吸引管７２及び吸引装置７６（供給管、電磁弁７８及びコンプレッサを含む）を容易に取り付け可能である。このため、既製の穀物選別機１０にも、穀物吸引管７０、石屑吸引管７２及び吸引装置７６（供給管、電磁弁７８及びコンプレッサを含む）を容易に取り付けることができる。
【００３９】
なお、本実施の形態では、石屑吸引管７２から石屑排出樋６８までの間に分離装置７４を設けた構成としたが、これと共に、又は、これに代えて、穀物吸引管７０から穀物排出樋６６までの間に分離装置７４を設けた構成としてもよい。
【図面の簡単な説明】
【００４０】
【図１】本発明の実施の形態に係る穀物選別機の主要部を示す概略的な平面図である。
【図２】本発明の実施の形態に係る穀物選別機を示す図１の２−２線に沿った概略的な縦断面図である。
【図３】本発明の実施の形態に係る穀物選別機を示す図１の３−３線に沿った概略的な縦断面図である。
【図４】本発明の実施の形態に係る穀物選別機の主要部を示す図１の４−４線に沿った概略的な縦断面図である。
【図５】本発明の実施の形態に係る穀物選別機の選別多孔板を示す断面図である。
【図６】本発明の実施の形態に係る穀物選別機の外観を示す平面図である。
【図７】本発明の実施の形態に係る穀物選別機の外観を示す後面図である。
【図８】本発明の実施の形態に係る穀物選別機の外観を示す右側面図である。
【図９】本発明の実施の形態に係る穀物選別機の吸引装置を示す概略的な側面図である。
【符号の説明】
【００４１】
１０    穀物選別機
１６    機体
２２    一次選別多孔板（選別部材）
３６    横送り多孔板（選別部材）
４０    戻し多孔板（選別部材）
４６    二次選別多孔板（選別部材）
６６    穀物排出樋（穀物排出部）
６８    石屑排出樋（穀物排出部）
７０    穀物吸引管（排出手段）
７２    石屑吸引管（排出手段）
７４    分離装置（排出手段）
７６    吸引装置（排出手段）
７８    電磁弁（排出手段）
Ｋ    穀物
Ｚ    石屑
【図１】
2009028608.tif 000003
【図２】
2009028608.tif 000004
【図３】
2009028608.tif 000005
【図４】
2009028608.tif 000006
【図５】
2009028608.tif 000007
【図６】
2009028608.tif 000008
【図７】
2009028608.tif 000009
【図８】
2009028608.tif 000010
【図９】
2009028608.tif 000011